(57)【要約】【課題】負角部における空気溜りを抑制し、負角部まで発泡ビーズを導入することが可能な発泡成形体の製造方法を提供する。【解決手段】溝部を備え、前記溝部の両側面における開口端部に突起状の負角部を備える発泡成形体を成形するための型内に発泡ビーズを充填させる際、前記型内における前記負角部が形成される領域と面するように前記型に設けられた孔から前記領域の空気を排出し、前記型内に充填された前記発泡ビーズを加熱融着させて発泡成形体を製造する発泡成形体の製造方法。【選択図】図１
2018058238.tif 000002
【特許請求の範囲】
【請求項１】
溝部を備え、前記溝部の両側面における開口端部に突起状の負角部（アンダーカット部）を備える発泡成形体を成形するための型内に発泡ビーズを充填させる際、前記型内における前記負角部（アンダーカット部）が形成される領域と面するように前記型に設けられた孔から前記領域の空気を排出し、
前記型内に充填された前記発泡ビーズを加熱融着させて発泡成形体を製造する発泡成形体の製造方法。
【請求項２】
前記発泡成形体は前記孔に基因する突出部を有する、請求項１に記載の発泡成形体の製造方法。
【請求項３】
溝部を備え、前記溝部の両側面における開口端部に突起状の負角部を備え、前記負角部に形成されて対向する面に向かって突出する突出部を備えた発泡成形体。
【請求項４】
車両幅方向に亘って延在する溝部を備え、前記溝部の両側面における開口端部に突起状の負角部を備え、前記負角部に形成されて対向する面に向かって突出する突出部を備えたバンパアブソーバ。
【発明の詳細な説明】
【技術分野】
【０００１】
本発明は、発泡成形体の製造方法、発泡成形体及びバンパアブソーバに関する。
【背景技術】
【０００２】
衝撃吸収用部材として発泡成形体であるバンパアブソーバが車両のバンパ内に配設される。近年、バンパアブソーバの溝部に配設されるチューブ部材を用いて歩行者等との衝突を検知するチューブ式の車両用衝突検知装置が提案されている。例えば、バンパアブソーバの溝部に検出用チューブを収納し、溝部には長手方向の一部で車両の上方側及び車両の下方側の面に検出用チューブを保持する保持部が形成された車両用衝突検知装置が開示されている（例えば、特許文献１を参照）。
【先行技術文献】
【特許文献】
【０００３】
【特許文献１】特開２０１６−２７９６６号公報
【発明の概要】
【発明が解決しようとする課題】
【０００４】
特許文献１に記載の車両用衝突検知装置では、バンパアブソーバの溝部には長手方向の一部で車両の上方側及び車両の下方側の面に検出用チューブを保持する保持部が形成されている。保持部を有するバンパアブソーバを、型内に発泡ビーズを充填させて形成する場合、溝部の開口端部である保持部の先端となる領域に空気がたまり、当該領域に発泡ビーズが上手く回り込まずに充填されないおそれがある。その結果、溝部の開口端部に形成される突起形状を有する保持部（負角部）にビーズが行き届かないことにより、バンパアブソーバの溝部に配設されるチューブが保持されずに脱落するおそれがある。そこで、バンパアブソーバ等の発泡成形体に配設されるチューブ等が好適に保持されるようにするため、上記領域における空気溜りの発生を抑制し、負角部まで十分にビーズを導入可能なバンパアブソーバ等の発泡成形体の製造方法が望まれる。
【０００５】
本発明は、上記従来の問題点に鑑みてなされたものであり、負角部における空気溜りを抑制し、負角部まで発泡ビーズを導入することが可能な発泡成形体の製造方法、並びに負角部（アンダーカット部）まで発泡ビーズが導入された発泡成形体及びバンパアブソーバを提供することを目的とする。
【課題を解決するための手段】
【０００６】
請求項１に記載の発泡成形体の製造方法では、溝部を備え、前記溝部の両側面における開口端部に突起状の負角部（アンダーカット部）を備える発泡成形体を成形するための型内に発泡ビーズを充填させる際、前記型内における前記負角部が形成される領域と面するように前記型に設けられた孔から前記領域の空気を排出し、前記型内に充填された前記発泡ビーズを加熱融着させて発泡成形体を製造する。
【０００７】
上記構成によれば、型に設けられた孔から型内における発泡成形体の負角部（アンダーカット部）が形成される領域の空気を排出することにより、型内に発泡ビーズを充填する際に当該領域に発泡ビーズを導入することができる。その結果、上記発泡成形体の製造方法により得られた発泡成形体では、負角部（アンダーカット部）における空気溜りが抑制されて負角部（アンダーカット部）に発泡ビーズが行き届いているため、発泡成形体の溝部に配設されるチューブ等が脱落することが抑制される。
さらに、発泡成形体の製造方法では、孔に基因する突出部を有する発泡成形体（例えば、バンパアブソーバ）を製造してもよい。この構成により、発泡成形体の溝部に配設されるチューブ等の脱落をより好適に抑制することができる。
【発明の効果】
【０００８】
本発明によれば、負角部における空気溜りを抑制し、負角部（アンダーカット部）まで発泡ビーズを導入することが可能な発泡成形体の製造方法、並びに負角部（アンダーカット部）まで発泡ビーズが導入された発泡成形体及びバンパアブソーバを提供することができる。
【図面の簡単な説明】
【０００９】
【図１】本発明の一実施形態に係るバンパアブソーバの製造方法において、凹型及び凸型からなる一対の型を用いてバンパアブソーバを成形することを示す断面図である。
【図２】（ａ）は本発明の一実施形態に係るバンパアブソーバの製造方法にて用いる凹型及び凸型の断面図であり、（ｂ）は凹型及び凸型を型締めしたときの断面図であり、（ｃ）は（ａ）の点線部の拡大図である。
【図３】本発明の一実施形態にて得られるバンパアブソーバの概略構成図である。
【図４】（ａ）は図３に示すバンパアブソーバのＡ−Ａ線断面図であり、（ｂ）は図３に示すバンパアブソーバのＢ−Ｂ線断面図であり、（ｃ）は負角部に突出部が形成されている場合における、図３に示すバンパアブソーバのＡ−Ａ線断面図である。
【図５】本発明の別の実施形態にて得られるバンパアブソーバの断面図である。
【図６】本発明の比較対象となるバンパアブソーバの製造方法において、凹型及び凸型からなる一対の型を用いてバンパアブソーバを成形することを示す断面図である。
【発明を実施するための形態】
【００１０】
本明細書において、「〜」を用いて示された数値範囲は、「〜」の前後に記載される数値をそれぞれ最小値及び最大値として含む範囲を示す。
【００１１】
以下、本発明の発泡成形体の製造方法の実施形態について詳細に説明する。
【００１２】
以下、本発明の一実施形態に係る発泡成形体の製造方法について説明する。本実施形態の発泡成形体の製造方法は、溝部を備え、前記溝部の両側面における開口端部に突起状の負角部（アンダーカット部）を備える発泡成形体を成形するための型内に発泡ビーズを充填させる際、前記型内における前記負角部が形成される領域と面するように前記型に設けられた孔から前記領域の空気を排出し、前記型内に充填された前記発泡ビーズを加熱融着させて発泡成形体を製造する。
【００１３】
本実施形態の発泡成形体の製造方法では、型に設けられた孔から型内における発泡成形体の負角部（アンダーカット部）が形成される領域の空気を排出することにより、型内に発泡ビーズを充填する際に当該領域に発泡ビーズを導入することができる。その結果、本実施形態にて得られる発泡成形体では、負角部（アンダーカット部）における空気溜りが抑制され、かつ負角部（アンダーカット部）に発泡ビーズが行き届いている（充填されている）ため、発泡成形体の溝部に配設されるチューブが脱落することが抑制される。したがって、例えば、溝部にてチューブを好適に保持することが可能な発泡成形体であるバンパアブソーバを得ることができる。
【００１４】
＜バンパアブソーバの製造方法＞
以下、本実施形態の発泡成形体の製造方法について、より詳細に説明する。なお、以下の実施形態では、発泡成形体であるバンパアブソーバを成形する方法について図を用いて説明するが、発泡成形体はバンパアブソーバに限定されない。
【００１５】
本実施形態のバンパアブソーバの製造方法では、例えば、図１、２に示すような凹形状を有する凹型１及び凸形状を有する凸型２からなる一対の型を用いることにより、バンパアブソーバ１０を成形する。具体的には、図１に示すように、凹型１及び凸型２からなる一対の型内に発泡ビーズを充填させ、一対の型内に充填された発泡ビーズを加熱融着させることにより、負角部（アンダーカット部）１０Ａ、１０Ｂを備えるバンパアブソーバ１０を形成することができる。なお、凹型１及び凸型２からなる一対の型は、従来公知の方法を用いて型内発泡用成形機に搭載し、使用することができる。
【００１６】
図２の（ａ）に示すように、凹型１は凹形状を有する型であり、凸型２は凸形状を有する型である。図２の（ｂ）に示すように、凹型１及び凸型２からなる一対の型は型締めを行うことにより、成形空間３が上記一対の型内に形成される。また、型締めにより上記一対の型内に形成される成形空間３に発泡ビーズを充填させ、一対の型内に充填された発泡ビーズを加熱融着させることにより、負角部（アンダーカット部）１０Ａ、１０Ｂを備えるバンパアブソーバ１０が成形される。
【００１７】
凹型１は凹形状を有し、凸型２と型締めを行うことで負角部（アンダーカット部）１０Ａ、１０Ｂを備えるバンパアブソーバ１０を成形するための成形空間３が形成される型であれば特に限定されない。また、凹型１は、バンパアブソーバ１０を成形するための成形空間３に発泡ビーズを充填する充填孔（図示せず）、発泡ビーズを加熱、発泡及び互いに融着させるための水蒸気を供給する供給孔（図示せず）、成形空間３に発泡ビーズを充填する際に用いた圧送空気等の成形空間３内の空気を排出する排気孔等を備えていてもよい。
【００１８】
凸型２は凸形状を有し、凹型１と型締めを行うことで負角部（アンダーカット部）１０Ａ、１０Ｂを備えるバンパアブソーバ１０を成形するための成形空間３が形成される型であれば特に限定されない。例えば、凸型２は、凸形状の両側面２ａ、２ｂにバンパアブソーバ１０における負角部（アンダーカット部）１０Ａ、１０Ｂを形成するための溝部２ｃ、２ｄを有している。また、溝部２ｃ、２ｄにおいて、凸形状の先端方向側の側面２ｅ、２ｇは、先端方向に傾斜しており、かつ、側面２ｅ、２ｇの長さは、凸形状の先端方向側と反対方向の側面２ｆ、２ｈの長さよりも小さい。さらに、凸型２はチャンバ面Ｃから凸形状の先端方向に延びて溝部２ｃ、２ｄの底面方向に分岐し、かつ凸型２のチャンバ面Ｃから溝部２ｃ、２ｄまで貫通する、排出孔２ｊを備える。なお、チャンバとは型内発泡成形における水蒸気、冷却水等の用役流体を投入する空間であり、本実施形態においては、凹型１の背面側に凹型チャンバ１Ａ、凸型２の背面側に凸型チャンバ２Ａが形成されている（例えば、特開２００１−７９８７０号公報参照。）
【００１９】
凸型２は排出孔２ｊを備えることにより、凹型１及び凸型２を型締めした際、バンパアブソーバ１０の負角部（アンダーカット部）１０Ａ、１０Ｂが形成される領域である溝部２ｃ、２ｄにおける空気を排出することができる。これにより、成形空間３に発泡ビーズを充填する際に溝部２ｃ、２ｄに好適に発泡ビーズを導入することができ、溝部２ｃ、２ｄにおける空気溜りを抑制することができる。したがって、凸型２を用いることで溝部にチューブを配設した際にチューブの脱落が抑制されるバンパアブソーバ１０を成形することができる。排出方法としては特に制限されず、充填機から発泡ビーズと共に空気を型内に送りその圧力差で排出する方法、減圧ポンプで排出（吸い出す）方法、等が挙げられる。
【００２０】
成形空間３に発泡ビーズを充填させる際、上記一対の型内における負角部（アンダーカット部）１０Ａ、１０Ｂが形成される領域と面するように凹型１に設けられた排出孔２ｊから成形空間３におけるバンパアブソーバ１０の負角部１０Ａ、１０Ｂが形成される領域の空気を排出する。
【００２１】
凹型１及び凸型２からなる一対の型内に形成される成形空間３に充填される発泡ビーズを構成する基材樹脂としては、特に限定されず、例えば、ポリオレフィン系樹脂、ポリスチレン系樹脂、及びスチレン改質ポリオレフィン系樹脂等が挙げられる。この中でも、ポリオレフィン系樹脂を用いることにより、緩衝性、耐薬品性、耐熱性、圧縮後の歪回復率、リサイクルが容易となる点から好ましい。
【００２２】
ポリオレフィン系樹脂としては、特に限定されず、ポリプロピレン系樹脂、ポリエチレン系樹脂等が挙げられる。ポリプロピレン系樹脂としては、プロピレン単独重合体、エチレン／プロピレン共重合体、エチレン／プロピレン／１−ブテン共重合体等が挙げられる。ポリエチレン系樹脂としては、高密度ポリエチレン系樹脂、中密度ポリエチレン系樹脂、低密度ポリエチレン系樹脂、直鎖状低密度ポリエチレン系樹脂等が挙げられ、より具体的には、エチレン／１−ブテン共重合体、エチレン／４−メチル−１−ペンテン共重合体等が挙げられる。なお、上記共重合体は、ランダム共重合体であってもよく、ブロック共重合体であってもよい。
発泡ビーズの製造方法に特に制限は無く、従来公知の製造方法を挙げることができる。一例としては、ポリオレフィン系樹脂発泡ビーズ（発泡粒子）であれば、国際公開公報２００９／０７５２０８、特開２００６−１１７８４２号公報等に開示されている製造方法が挙げられ、ポリスチレン系樹脂発泡ビーズであれば、特開２００３−２０１３６０号公報、特開２０１４−１１８４７４号公報等に開示されている製造方法が挙げられ（該特許文献中には、「予備発泡粒子」として記載されている）、スチレン改質ポリオレフィン系樹脂発泡ビーズ（発泡粒子）であれば、特開２００８−２３９７９４号公報等に開示されている製造方法が挙げられるが、これらに限定されるものではない。
このようにして得られる発泡ビーズとしては、適宜、難燃剤、帯電防止剤、着色剤等の添加剤を従来公知の方法により含有あるいは被覆させることができる。
発泡ビーズの粒径としては、特に限定されず、例えば、１ｍｍ〜１０ｍｍであればよいが、型充填性の観点からは、１ｍｍ〜５ｍｍが好ましく、１ｍｍ〜３ｍｍがより好ましい。
発泡ビーズの発泡倍率としては、特に限定されず、例えば、３倍〜９０倍であってもよいが、機械的強度及び成形性の観点からは、５倍〜６０倍が好ましく、５倍〜４０倍がより好ましい。
このような発泡ビーズは、例えば、（株）カネカ製エペラン−ＰＰ、エペラン−ＸＬ等として市販されており、容易に入手可能である。
【００２３】
本発明の発泡成形体の製造方法における成形方法（型内発泡成形方法）としては、特開２００１−７９８７０号公報等に記載された従来公知の成形方法を採用することができ、例えば、先ず、凹型と凸型からなる一対の型を型閉して成形空間を形成し、発泡ビーズを原料タンクから充填器を通じて成形空間内に送入して充填し、次に成形空間内の発泡ビーズを水蒸気で加熱し、発泡ビーズどうしを融着させ一体化してから冷却し、一対の型を型開して発泡成形体を取り出す方法が挙げられる。より具体的に、本実施形態あるいは比較対象に即して説明する。
【００２４】
成形空間３に発泡ビーズを充填した後、成形空間３に充填された発泡ビーズを加熱融着させてバンパアブソーバ１０を成形する。このとき、例えば、凹型１の底面を貫通するように設けられた供給孔を介して成形空間３に水蒸気を供給し、発泡ビーズを加熱、発泡（膨張）及び互いに融着させてもよい。
【００２５】
成形空間３に充填された発泡ビーズの加熱融着が終了した後冷却し、凹型１及び凸型２からなる一対の型の型締めを解除することにより、発泡成形体であるバンパアブソーバ１０を取り出すことができる。
【００２６】
一方、本発明の比較対象となるバンパアブソーバの製造方法について図６を用いて説明する。図６に示す凹型２１及び凸型２２からなる一対の型は、凸型２２に排出孔が設けられていない点で、図１、２に示す凹型１及び凸型２からなる一対の型と相違する。また、図６では、凹型２１及び凸型２２から形成される成形空間に発泡ビーズを充填させたときを示している。
【００２７】
比較対象となるバンパアブソーバの製造方法では、排出孔が設けられていない凸型２２を用いるため、凹型２１及び凸型２２から形成される成形空間に発泡ビーズ３１を充填した際、負角部（アンダーカット部）である空気溜り領域３ａ、３ｂができ、空気溜り領域３ａ、３ｂに発泡ビーズ３１が導入されない、あるいは、空気溜り領域３ａ、３ｂにおける発泡ビーズ３１の充填密度が領域３ａ、３ｂ以外の領域よりも小さくなる。その結果、凹型２１及び凸型２２から形成される成形空間に発泡ビーズ３１を充填した後、発泡ビーズ３１を加熱融着させてバンパアブソーバを成形すると、負角部（アンダーカット部）に発泡ビーズ３１が十分に行き届いていないバンパアブソーバが得られる。しかし、本実施形態のバンパアブソーバの製造方法では、上述のように、負角部（アンダーカット部）に発泡ビーズが十分に行き届いているバンパアブソーバを得ることができる。
【００２８】
＜バンパアブソーバ＞
本実施形態のバンパアブソーバの製造方法により得られるバンパアブソーバ１０は、図３及び図４の（ａ）に示すように、凹形状の溝部１０ａを有し、溝部１０ａの側面１０ｂ、１０ｃにおける開口端部に突起形状を有する負角部（アンダーカット部）１０Ａ、１０Ｂを備えている。なお、図３、４は、バンパアブソーバ１０の溝部１０ａにチューブ１１を配設させた状態を示している。図４において、（ａ）は図３に示すバンパアブソーバのＡ−Ａ線断面図であり、（ｂ）は図３に示すバンパアブソーバのＢ−Ｂ線断面図である。本実施形態のバンパアブソーバの製造方法にて得られるバンパアブソーバは、図４の（ａ）に示される構造を長手方向（図３の左右方向）において少なくとも一部有していればよく、後述するように、図４の（ａ）に示される構造及び図４の（ｂ）に示される構造を長手方向において有するものであってもよい。
【００２９】
図４の（ａ）に示すように、バンパアブソーバ１０の溝部１０ａの底面、負角部（アンダーカット部）１０Ａ、１０Ｂにチューブ１１を当接させることにより、バンパアブソーバ１０の溝部１０ａにチューブ１１が配設される。このとき、バンパアブソーバ１０の負角部（アンダーカット部）１０Ａ、１０Ｂには発泡ビーズが行き届いているため、チューブ１１がバンパアブソーバ１０の溝部１０ａにて好適に保持され、チューブ１１がバンパアブソーバ１０から脱落することが抑制される。
また、図４の（ｃ）に示すように、負角部（アンダーカット部）１０Ａ、１０Ｂの対向する面に、排出孔２ｊに基因する凸状痕跡（突出部）１０ｄが形成される構成は、チューブ１１のバンパアブソーバ１０からの脱落がより抑制されることから、好ましい態様である。一つの負角部（アンダーカット部）における凸状痕跡の数としては、負角部（アンダーカット部）の長さ（図３におけるアブソーバー長手方向の負角部の長さ）等にも依存するが、１個〜８個が好ましく、２個〜５個がより好ましく、２個〜３個がさらに好ましい。
【００３０】
本実施形態のバンパアブソーバの製造方法により得られるバンパアブソーバ１０は、例えば、車両用衝突検知装置に用いてもよい。
【００３１】
例えば、バンパアブソーバ１０における負角部（アンダーカット部）１０Ａ、１０Ｂの突起形状の先端部の幅は、溝部１０ａの深さ方向において１．５ｍｍ〜３ｍｍであり、溝部１０ａの深さは１０ｍｍ〜１５ｍｍであってもよい。また、負角部１０Ａ、１０Ｂを除く溝部１０ａの側面及び底面の形状は、矩形状に限定されず、多角形状、円状等であってもよい。
排出孔２ｊの孔径は、排出孔が形成可能な孔径であれば特に制限はなく、好ましくは０．３ｍｍ〜２ｍｍであり、より好ましくは０．５ｍｍ〜１．５ｍｍ、さらに好ましくは０．８ｍｍ〜１．２ｍｍである。この範囲であれば、空気の排出が円滑に行われ易く、また、発泡ビーズが排出孔に詰まり難い傾向となり、メンテナンス性が良好となるとともに、次に記載する凸状痕跡の直径及び高さ（長さ）をコントロールしやすい傾向がある。排出孔２ｊの孔形状は、円状に限定されず、矩形状、多角形状等であっても良い。排出孔の凸部痕跡は、上記排出孔２ｊの型面の孔形状にも依存するが、例えば型面の孔形状が円状であれば、凸状痕跡は円柱形状に近くなり、その直径は好ましくは０．３ｍｍ〜２ｍｍであり、より好ましくは０．５ｍｍ〜１．５ｍｍ、さらに好ましくは０．８ｍｍ〜１．２ｍｍである。また、円柱形状の高さ（長さ）は、好ましくは０．１ｍｍ〜５ｍｍであり、より好ましくは０．５ｍｍ〜３ｍｍ、さらに好ましくは１ｍｍ〜２ｍｍである。
【００３２】
また、バンパアブソーバ１０の溝部１０ａの底面及び負角部（アンダーカット部）１０Ａ、１０Ｂにチューブ１１を当接させ、かつ溝部１０ａにチューブ１１を配設させた際、チューブ１１の外壁面と溝部１０ａの側面１０ｂ及び溝部１０ａの底面との間並びにチューブ１１の外壁面と溝部１０ａの側面１０ｃ及び溝部１０ａの底面との間に隙間が形成されることが好ましい。例えば、図４の（ａ）に示すように、チューブ１１の外壁面と溝部１０ａの側面１０ｂ及び溝部１０ａの底面とに囲まれてなる隙間が上側に形成され、チューブ１１の外壁面と溝部１０ａの側面１０ｃ及び溝部１０ａの底面とに囲まれてなる隙間が下側に形成されることが好ましい。これにより、バンパアブソーバ１０の溝部１０ａにはチューブ１１の変形する隙間が確保されており、例えば、チューブ１１を保持するバンパアブソーバ１０を車両用衝突検知装置とした場合、車両と歩行者等との衝突時にチューブ１１が適切に変形（例えば、上下に変形）し、衝突検知精度に優れる。
【００３３】
一方、図５に示すように、バンパアブソーバ２０の溝部の壁面にチューブ１１の外壁面の少なくとも一部を当接させ、かつ溝部にチューブ１１を配設させた際、チューブ１１の外壁面と溝部の壁面との間に隙間が存在しない、あるいはほとんど存在しない上記実施形態とは別の形態におけるバンパアブソーバ２０では、溝部にチューブ１１の変形する隙間がほとんど確保されていないことになる。このバンパアブソーバ２０を車両用衝突検知装置とした場合、車両と歩行者等との衝突時にチューブ１１が適切に変形せず、衝突検知精度が低下するおそれがある。したがって、図４の（ａ）に示すように、バンパアブソーバ１０の溝部１０ａの壁面（底面及び側面）とチューブ１１の外壁面との間に、チューブの変形する隙間が存在するように、バンパアブソーバ１０の溝部１０ａの底面及び負角部１０Ａ、１０Ｂにチューブ１１を当接させてチューブ１１を保持させることが好ましい。なお、図５に示すバンパアブソーバ２０では、材質を柔らかいものとしてチューブ１１を変形しやすくすることが好ましい。
【００３４】
チューブ１１は、バンパアブソーバ１０の溝部１０ａに保持される部材である。チューブ１１の材質としては、エチレンプロピレンゴム、シリコンゴム等の合成ゴムが挙げられる。チューブ１１の断面形状は、円形に限定されず、例えば、四角形等の多角形であってもよい。
【００３５】
以下、図３を用いて、上下方向（車両上下方向）及び左右方向（車幅方向）から見たバンパアブソーバの構成についてより詳細に説明する。バンパアブソーバ１０は、図３に示すように、左右方向に沿って溝部が形成されており、左右方向に沿って形成された溝部１０ａにチューブ１１が配設されている。
【００３６】
図３及び図４の（ａ）に示すように、バンパアブソーバ１０は、左右方向に沿って形成された溝部１０ａの両側面に負角部（アンダーカット部）１０Ａ、１０Ｂがそれぞれ形成された領域５を左右方向に沿って複数備え、複数の領域５は所定の間隔をあけて位置していてもよい。これにより、バンパアブソーバ１０は、チューブ１１をより好適に保持することができる。
【００３７】
また、図３及び図４の（ｂ）に示すように、バンパアブソーバ１０は、左右方向に沿って形成された溝部１０ａの両側面の開口端部に突起形状を有する負角部を有していない領域６を左右方向に沿って複数備え、複数の領域６は所定の間隔をあけて位置していてもよい。領域６には負角部（アンダーカット部）が形成されていないため、チューブ１１は領域６における溝部１０ａの両側面とは当接しておらず、チューブ１１の外壁面と溝部１０ａの側面との間に隙間６ａ、６ｂを形成することができる。これにより、例えば、チューブ１１を保持するバンパアブソーバ１０を車両用衝突検知装置とした場合、車両と歩行者等との衝突時にチューブ１１がより適切に変形（例えば、上下に変形）し、衝突検知精度により優れる。
【００３８】
また、図３に示すように、バンパアブソーバ１０は、左右方向に沿って形成された溝部１０ａの両側面に負角部１０Ａ、１０Ｂがそれぞれ形成された領域５と、左右方向に沿って形成された溝部１０ａの両側面の開口端部に突起形状を有する負角部を有していない領域６とを左右方向に沿って交互に備えていてもよい。これにより、バンパアブソーバ１０はチューブ１１をより好適に保持し、かつ、チューブ１１を保持するバンパアブソーバ１０を車両用衝突検知装置とした場合、衝突検知精度により優れる。
以上、発泡成形体及びその製造方法の一例として、バンパアブソーバ及びその製造方法について説明したが、本発明は、これらに限定されない。
【符号の説明】
【００３９】
１  凹型
２  凸型
２ｊ  排出孔（孔）
３  成形空間
１０、２０  バンパアブソーバ（発泡成形体）
１０Ａ、１０Ｂ  負角部
１０ｄ  凸状痕跡（突出部）
【図１】
2018058238.tif 000003
【図２】
2018058238.tif 000004
【図３】
2018058238.tif 000005
【図４】
2018058238.tif 000006
【図５】
2018058238.tif 000007
【図６】
2018058238.tif 000008